(57)【特許請求の範囲】
【請求項１】
窓枠に内障子と外障子を上下動自在に建て込み、この窓枠に設けた索条ガイドに巻掛けた左右の索条の一端部を内障子にそれぞれ連結し、他端部を外障子にそれぞれ連結して、前記内障子を上方に移動すると外障子が下方に移動すると共に、前記内障子を下方に移動すると外障子が上方に移動するようにした上げ下げ窓であって、
前記窓枠の左右の縦枠が有する室外側の縦溝に、左右の外障子用摺動部材のガイド部を上下動自在にそれぞれ設け、この左右の外障子用摺動部材の索条連結部に前記左右の索条の他端部を連結すると共に、左右の外障子用摺動部材の外障子取付部に外障子を固定して、前記外障子が左右の外障子用摺動部材を介して左右の縦枠の室外側の縦溝に沿って上下動するように構成し、
前記左右の縦枠に左右の外障子ストッパーをそれぞれ取付け、この左右の外障子ストッパーに前記左右の外障子用摺動部材が当接して外障子の最下方位置を規制するようにし、
前記外障子用摺動部材と外障子ストッパーを、前述のようにして外障子の最下方位置を規制している状態で、外障子用摺動部材の縦溝内での左右方向の動き代が、前記外障子用摺動部材のガイド部の左右一方の端面と前記室外側の縦溝の左右一方の内面との間に左右方向の隙間に見合う値よりも少なくなる形状としたことを特徴とする上げ下げ窓。
【請求項２】
窓枠に内障子と外障子を上下動自在に建て込み、この窓枠に設けた索条ガイドに巻掛けた左右の索条の一端部を内障子にそれぞれ連結し、他端部を外障子にそれぞれ連結して、前記内障子を上方に移動すると外障子が下方に移動すると共に、前記内障子を下方に移動すると外障子が上方に移動するようにした上げ下げ窓であって、
前記窓枠の左右の縦枠が有する室外側の縦溝に、左右の外障子用摺動部材のガイド部を上下動自在にそれぞれ設け、この左右の外障子用摺動部材の索条連結部に前記左右の索条の他端部を連結すると共に、左右の外障子用摺動部材の外障子取付部に外障子を固定して、前記外障子が左右の外障子用摺動部材を介して左右の縦枠の室外側の縦溝に沿って上下動するように構成し、
前記左右の縦枠に左右の外障子ストッパーをそれぞれ取付け、この左右の外障子ストッパーに前記左右の外障子用摺動部材が当接して外障子の最下方位置を規制するようにし、
前記外障子用摺動部材のガイド部の左右一方の端面と前記室外側の縦溝の左右一方の内面との間に左右方向の隙間を有する構成とし、
前記外障子ストッパーに設けた突部を、外障子ストッパーに外障子用摺動部材が当接した時に、前記左右方向の隙間に入り込むようにしたことを特徴とする上げ下げ窓。
【請求項３】
外障子用摺動部材のガイド部の左右一方の端面に突部対向面を形成し、この突部対向面と縦溝の左右一方の内面との間に突部が入り込むように構成し、
前記左右一方の端面と左右一方の内面との間の左右方向の隙間よりも、前記突部対向面と左右一方の内面との間の左右方向の隙間が大きい請求項２記載の上げ下げ窓。
【発明の詳細な説明】
【技術分野】
【０００１】
本発明は、内障子と外障子が互いに連動して開閉する上げ下げ窓に関するものである。
【背景技術】
【０００２】
特許文献１に、内障子と外障子が、滑車と吊ワイヤを用いて互いに連動して開閉する上げ下げ窓が開示されている。
具体的には、窓枠と、その窓枠に上下動自在に設けた内障子、外障子と、窓枠の縦枠に設けた滑車と、この滑車に巻掛けられて内障子と外障子に連結した吊ワイヤを備えた上げ下げ窓である。
特許文献２には、窓枠の縦枠に縦溝を形成し、この縦溝に沿って摺動する支持部材（摺動片）を内・外障子に取付け、この支持部材に吊ワイヤを連結し、内・外障子が支持部材を介在して縦枠の縦溝に沿って移動自在とした上げ下げ窓が開示されている。
【０００３】
【特許文献１】特開平８−４４２９号公報
【特許文献２】特開２０００−２４８８４３号公報
【発明の開示】
【発明が解決しようとする課題】
【０００４】
前述した特許文献２に開示した上げ下げ窓における支持部材を用いて内・外障子を上下動自在とする技術を特許文献１に開示した上げ下げ窓に適用すると、吊ワイヤの両端部を支持部材にそれぞれ連結することになるので、特許文献２に開示した上げ下げ窓のように内・外障子に支持部材を取付けた後に内・外障子を窓枠に建て込むことが困難で、支持部材を左右の縦枠の縦溝内にそれぞれ設けて吊ワイヤに連結し、その後に左右の支持部材と内・外障子を固定することになる。
【０００５】
しかし、前述の支持部材は縦枠の縦溝に沿って摺動するので、その縦溝と支持部材との間に隙間を設けてスムーズに摺動するようにして内・外障子の開閉操作力を軽減させている。
しかも、支持部材は吊ワイヤに連結されているだけであるから、支持部材は縦枠の縦溝内で前述の隙間分だけ自由に動く。
このために、前述のように左右の支持部材に内・外障子を連結して建て込む際に、支持部材が縦溝内で左右方向に動き、支持部材と内・外障子を固定しづらく、内・外障子を窓枠に建て込む作業が面倒である。特に、１人の作業者によって左右の支持部材と内・外障子を固定することは大変面倒であるから、通常は複数の作業者によって内・外障子を窓枠に建て込んでいる。
【０００６】
本発明の目的は、外障子を窓枠に簡単に建て込むことができるようにした上げ下げ窓を提供することである。
【課題を解決するための手段】
【０００７】
本発明は、窓枠に内障子と外障子を上下動自在に建て込み、この窓枠に設けた索条ガイドに巻掛けた左右の索条の一端部を内障子にそれぞれ連結し、他端部を外障子にそれぞれ連結して、前記内障子を上方に移動すると外障子が下方に移動すると共に、前記内障子を下方に移動すると外障子が上方に移動するようにした上げ下げ窓であって、
前記窓枠の左右の縦枠が有する室外側の縦溝に、左右の外障子用摺動部材のガイド部を上下動自在にそれぞれ設け、この左右の外障子用摺動部材の索条連結部に前記左右の索条の他端部を連結すると共に、左右の外障子用摺動部材の外障子取付部に外障子を固定して、前記外障子が左右の外障子用摺動部材を介して左右の縦枠の室外側の縦溝に沿って上下動するように構成し、
前記左右の縦枠に左右の外障子ストッパーをそれぞれ取付け、この左右の外障子ストッパーに前記左右の外障子用摺動部材が当接して外障子の最下方位置を規制するようにし、
前記外障子用摺動部材と外障子ストッパーを、前述のようにして外障子の最下方位置を規制している状態で、外障子用摺動部材の縦溝内での左右方向の動き代が、前記外障子用摺動部材のガイド部の左右一方の端面と前記室外側の縦溝の左右一方の内面との間に左右方向の隙間に見合う値よりも少なくなる形状としたことを特徴とする上げ下げ窓である。
【０００８】
本発明においては、窓枠に内障子と外障子を上下動自在に建て込み、この窓枠に設けた索条ガイドに巻掛けた左右の索条の一端部を内障子にそれぞれ連結し、他端部を外障子にそれぞれ連結して、前記内障子を上方に移動すると外障子が下方に移動すると共に、前記内障子を下方に移動すると外障子が上方に移動するようにした上げ下げ窓であって、
前記窓枠の左右の縦枠が有する室外側の縦溝に、左右の外障子用摺動部材のガイド部を上下動自在にそれぞれ設け、この左右の外障子用摺動部材の索条連結部に前記左右の索条の他端部を連結すると共に、左右の外障子用摺動部材の外障子取付部に外障子を固定して、前記外障子が左右の外障子用摺動部材を介して左右の縦枠の室外側の縦溝に沿って上下動するように構成し、
前記左右の縦枠に左右の外障子ストッパーをそれぞれ取付け、この左右の外障子ストッパーに前記左右の外障子用摺動部材が当接して外障子の最下方位置を規制するようにし、
前記外障子用摺動部材のガイド部の左右一方の端面と前記室外側の縦溝の左右一方の内面との間に左右方向の隙間を有する構成とし、
前記外障子ストッパーに設けた突部を、外障子ストッパーに外障子用摺動部材が当接した時に、前記左右方向の隙間に入り込むようにしたことを特徴とする上げ下げ窓とすることが好ましい。
【０００９】
このようによれば、左右の外障子用摺動部材を左右の外障子ストッパーに当接した状態で、その左右の外障子用摺動部材の外障子取付部に外障子の左右を固定して建て込む際に、ガイド部の左右一方の端面と縦溝の左右一方の内面との間の左右方向の隙間に突部が入り込んで外障子用摺動部材の左右方向の動き代が少なくなるから、その外障子用摺動部材が大きく傾斜した姿勢となることがない。
したがって、外障子用摺動部材の外障子取付部に外障子を簡単に固定できるから、外障子を窓枠に簡単に建て込むことができる。特に、１人の作業者で外障子を窓枠に建て込むことが可能である。
また、外障子を上下動する時には、ガイド部の左右一方の端面と縦溝の左右一方の内面との間の左右方向の隙間に突部が入り込むことがないので、外障子用摺動部材は縦溝に沿ってスムーズに摺動して外障子の開閉操作力を軽減できる。
【００１０】
前述した本発明においては、外障子用摺動部材のガイド部の左右一方の端面に突部対向面を形成し、この突部対向面と縦溝の左右一方の内面との間に突部が入り込むように構成し、
前記左右一方の端面と左右一方の内面との間の左右方向の隙間よりも、前記突部対向面と左右一方の内面との間の左右方向の隙間が大きいことが好ましい。
【００１１】
このようにすれば、外障子を上下動する時の外障子用摺動部材の左右動き代が小さく、外障子を安定してスムーズに上下動できる。
しかも、突部の左右寸法を大きくできるから、外障子を建て込む時には、左右寸法の大きな突部によって外障子用摺動部材が傾斜した姿勢となることを確実に防止できる。
【発明の効果】
【００１２】
本発明によれば、左右の外障子用摺動部材を左右の外障子ストッパーに当接した状態で、その左右の外障子用摺動部材の外障子取付部に外障子の左右を固定して建て込む際に、外障子用摺動部材の縦溝内での左右方向の動き代がガイド部の左右一方の端面と縦溝の左右一方の内面との間の左右方向の隙間に見合う値よりも少なくなるから、その外障子用摺動部材が大きく傾斜した姿勢となることがない。
したがって、外障子用摺動部材の外障子取付部に外障子を簡単に固定できるから、外障子を窓枠に簡単に建て込むことができる。特に、１人の作業者で外障子を窓枠に建て込むことが可能である。
また、外障子を上下動する時には、ガイド部の左右一方の端面と縦溝の左右一方の内面との間の左右方向の隙間が大きいので、外障子用摺動部材は縦溝に沿ってスムーズに摺動して外障子の開閉操作力を軽減できる。
【発明を実施するための最良の形態】
【００１３】
図１に示すように、窓枠１と、この窓枠１に上下動自在に取付けた内障子２、外障子３と、この窓枠１の左右側部にそれぞれ取付けた左右の索条ガイド、例えば滑車４と、この各滑車４にそれぞれ巻掛けた左右の索条５を備え、この各索条５の一端部が左右の内障子用摺動部材６にそれぞれ連結され、各内障子用摺動部材６が内障子２の左右にそれぞれ固定されている。
前記各索条５の他端部が左右の外障子用摺動部材７にそれぞれ連結され、この各外障子用摺動部材７が外障子３の左右にそれぞれ固定されている。
これによって、内障子２を上に移動すると外障子３が下に移動し、内障子２を下に移動すると外障子３が上に移動する内障子２と外障子３が互いに連動して開閉する上げ下げ窓を形成している。
前記内障子２の上部にはクレセントなどが取付けてあるので、その上部が窓枠１の上部に当たるまで上に移動できないので、窓枠１の左右側部の下部寄りに左右の外障子ストッパー８を取付け、この各外障子ストッパー８に各外障子用摺動部材７が当接することで、外障子３の最下方位置を規制し、それによって内障子２の最上方位置を規制している。
前述の索条ガイドは滑車４に限ることはなく、索条５をスムーズに上下に摺動ガイドする固定体でも良い。
前述の索条５とは紐、ワイヤなどを含むものである。
【００１４】
前記窓枠１は上枠１０と下枠１１と左右の縦枠１２で方形枠形状で、その左右の縦枠１２が前記窓枠１の左右側部である。
前記内障子２、外障子３は、上框１３と下框１４と左右の縦框１５を方形状に連結し、その内部にガラス等のパネル１６を装着してある。
内障子２を図１に示すように下方位置とすると、下框１４（内障子下部）が下枠１１（窓枠１の下部）に接し、外障子３が上方位置となって上框１３（外障子上部）が上枠１０（窓枠１の上部）に接すると共に、内障子２の上框１３（内障子上部）と外障子３の下框１４（外障子下部）が室内外側方向に重なり合う。
これによって、上げ下げ窓は閉鎖状態となる。
前記内障子２を上方に移動すると外障子３が下方に移動して左右の外障子用摺動部材７が左右の外障子ストッパー８に当接して外障子３の最下方位置を規制する。これにより、内障子２の最上方位置が規制されて上框１３が上枠１０に当接しない。
これによって、上げ下げ窓は開放状態となる。
なお、図１は上げ下げ窓を概略的に示す正面図で、図２、図３に示す詳細な上げ下げ窓とは形状、寸法などが異なる部分がある。
【００１５】
前記左右の縦枠１２は図２、図３に示すように、室内側の縦溝１２ａと室外側の縦溝１２ｂを有する。例えば、面外方向に向かう縦板２０と、室内側内向縦板２１と室内外側方向中間の中間内向縦板２２と室外側内向縦板２３を備え、各内向縦板２１，２２，２３は面内方向内側に向けて縦板２０に一体的に設けてある。
縦板２０の室内側寄りと室内側内向縦板２１と中間内向縦板２２で室内側の縦溝１２ａを形成している。
縦板２０の室外側寄りと中間内向縦板２２と室外側内向縦板２３で室外側の縦溝１２ｂを形成している。
【００１６】
前記内障子用摺動部材６は図２に示すように、室内側の縦溝１２ａに摺動自在に嵌まり込み、この内障子用摺動部材６と室内側の縦溝１２ａは左右方向、室内外側方向の隙間を有して内障子用摺動部材６が縦溝１２ａに沿ってスムーズに上下方向に移動できる。
前記内障子用摺動部材６は図３に示すように、内障子２の下面、例えば下框１４の下面左右に固定してある。
前記外障子用摺動部材７は図２に示すように、室外側の縦溝１２ｂに摺動自在に嵌まり込み、この外障子用摺動部材７と室外側の縦溝１２ｂは左右方向、室内外側方向の隙間を有して外障子用摺動部材７が縦溝１２ｂに沿ってスムーズに上下方向に移動できる。
前記外障子用摺動部材７は図３に示すように、外障子３の下面、例えば下框１４の下面左右に固定してある。
【００１７】
前記外障子ストッパー８は図３に示すように、縦枠１２の室外側の縦溝１２ｂにおける下部寄り（下枠１１寄り）部分に取付けてある。
そして、内障子２を上方に移動すると外障子３が下方に移動し、外障子用摺動部材７の下面７ａが外障子用ストッパー８の上面８ａに当接して外障子３の最下方位置を規制する。
【００１８】
前記外障子用摺動部材７は図４、図５、図６に示すように、ガイド部７ｂと索条連結部７ｃと外障子取付部７ｄを備えている。
前記ガイド部７ｂが縦枠１２の室外側の縦溝１２ｂの左右内面、室内外側内面に沿って移動ガイドされる。例えばガイド部７ｂの左右端面と縦溝１２ｂの左右内面が隙間を置いて対向し、ガイド部７ｂの室内外側端面と縦溝１２ｂの室内外側内面が隙間を置いて対向する。
前記索条連結部７ｃには索条５の他端部が連結される。この索条連結部７ｃはガイド部７ｂのほぼ中央に位置し、そのガイド部７ａを索条５にバランス良く吊り下げできるようにしてある。
前記外障子取付部７ｄは縦溝１２ｂから反対側の縦枠１２に向けて突出し、外障子３の下面に固着具、例えばビス３ａで固定してある。
【００１９】
前記外障子ストッパー８は室外側の縦溝１２ｂに取付けてある。
この外障子ストッパー８と前記外障子用摺動部材７は、図７に示すように、外障子ストッパー８の上面８ａに外障子用摺動部材７の下面７ａが当接した状態、つまり外障子３の最下方向位置を規制している状態で、外障子用摺動部材７の縦溝１２ｂ内での左右方向の動き代が、前記縦溝１２ｂの左右一方の内面とガイド部７ｂの左右一方の端面との間の左右方向の隙間に見合う値よりも少なくなる形状としてある。
【００２０】
例えば、前記外障子ストッパー８は突部８ｂを備えている。好ましくは、上面８ａよりも上方に突出した突部８ｂを備えている。
図７に示すように、外障子ストッパー８の上面８ａに外障子用摺動部材７の下面７ａが当接した状態、つまり外障子３の最下方向位置を規制している状態で、前記突部８ｂが縦溝１２ｂの左右一方の内面とガイド部７ｂの左右一方の端面との間の左右方向の隙間に入り込むようにしてある。
【００２１】
これによって、外障子用摺動部材７の縦溝１２ｂ内での左右方向の動き代が小さくなるので、左右の外障子用摺動部材７の外障子取付部７ｄに跨って外障子３の下面を載置してビス等で固定して外障子３を建て込む際に、左右の外障子用摺動部材７の左右方向の動きが小さく、外障子用摺動部材７が水平姿勢から大きく傾斜した姿勢となることがない。
すなわち、外障子用摺動部材７の下面７ａを外障子ストッパー８の上面８ａに接した姿勢（前述の水平姿勢）から、その下面７ａと上面８ａが離れるように外障子用摺動部材７が傾斜した姿勢となることがない。例えば、図７で右下がりに傾斜した姿勢となることがない。
これに対して、前述の突部８ｂがない場合には外障子用摺動部材７の左右方向の動き代が大きいので、水平姿勢から大きく傾斜した姿勢となってしまう。
したがって、外障子用摺動部材７の外障子取付部７ｄと外障子を簡単に固定できるから、外障子３を窓枠１に簡単に建て込むことができる。
特に、１人の作業者によって左右の外障子用摺動部材７と外障子３の下部左右を簡単に固定できるので、外障子３を窓枠１に１人の作業者で建て込むことが可能となる。
【００２２】
前記外障子ストッパー８と外障子用摺動部材７を、前述のように外障子用摺動部材７の縦溝１２ｂ内での左右方向の動き代を少なくする形状とは、前述の形状に限ることはなく、図示は省略するが外障子用摺動部材７の下面に凹部又は凸部を形成し、外障子ストッパー８の上面８ａに凸部又は凹部を形成し、その凸部と凹部が嵌まり合うことで左右方向の動き代を、前述の左右方向の隙間に見合う値よりも少なくするようにしても良い。
【００２３】
この実施の形態では、前記ガイド部７ｂの左右一方の端面３０が縦溝１２ｂの左右一方の内面３１と対向し、この端面３０に突部対向面３２が形成してある。この突部対向面３２に突部８ｂが対向すると共に、その突部対向面３２よりも端面３０が前記内面３１に向けて突出している。
これによって、図５に示すようにガイド部７ｂの左右一方の端面３０と縦溝１２ｂの左右一方の内面３１との間の左右方向の隙間Ｓ１よりも、突部対向面３２とガイド面３１との間の左右方向の隙間Ｓ２が大きいので、前記突部８ｂの左右寸法を大きくできる。
【００２４】
したがって、外障子を上下動する時の外障子用摺動部材７の左右動き代が小さく、外障子３を安定してスムーズに上下動できる。
しかも、外障子３を建て込む時には、左右寸法の大きな突部８ｂによって外障子用摺動部材７が傾斜した姿勢になることを確実に防止できる。
【００２５】
図６に示すように、ガイド部７ｂの左右一方の端面３０の室内外側方向の中間には凹部３０ａが形成され、その凹部３０ａに突部８ｂが嵌まり合うようにして、その凹部３０ａを前述の突部対向面３２としてある。
このようにすることで、凹部３０ａの室内外側の内面と突部８ｂの室内外側の端面とで外障子用摺動部材７の室内外側方向の動き代を小さくすることが可能である。
なお、ガイド部７ｂの左右一方の端面３０の室内外側方向の一側又は両側に切欠き部を形成して突部対向面３２としても良い。
【００２６】
前記外障子用摺動部材７の具体形状を説明する。
樹脂製の本体４０と取付金具４１を備えている。その本体４０は平面矩形状部４２と平面長方形状部４３を有し、その平面矩形状部４２の４つのコーナー部に突起４４をそれぞれ設けてガイド部７ｂとしてある。
前記取付金具４１は横板４５と縦板４６でＬ字形状で、その横板４５を本体４０にピン４７をカシメして固定し、横板４５と平面長方形状部４３で外障子取付部７ｄとしてある。
前記取付金具４１の縦板４６が平面矩形状部４２のほぼ中央に位置して索条取付部７ｃとしてある。
【００２７】
前記外障子ストッパー８は一側面が開口した矩形箱形状で、その開口端面５０を縦溝１２ｂの左右一方の内面３１に接している。
この左右一方の内面３１にブラケット５１がビス５２で固着され、このブラケット５１にビス５３を螺合して外障子ストッパー８を取付けてある。
【図面の簡単な説明】
【００２８】
【図１】本発明の実施の形態を示す上げ下げ窓の概略正面図である。
【図２】本発明の実施の形態を示す上げ下げ窓の横断面図である。
【図３】本発明の実施の形態を示す上げ下げ窓の縦断面図である。
【図４】縦枠の外障子用摺動部材の取付け部分の拡大横断面図である。
【図５】図４のＡ−Ａ断面図である。
【図６】外障子用摺動部材と外障子ストッパーの斜視図である。
【図７】外障子用摺動部材が外障子ストッパーに当接した状態の縦断面図である。
【符号の説明】
【００２９】
１…窓枠、２…内障子、３…外障子、４…索条ガイド、５…索条、６…内障子用摺動部材、７…外障子用摺動部材、７ａ…下面、７ｂ…ガイド部、７ｃ…索条取付部、７ｄ…外障子取付部、８…外障子ストッパー、８ａ…上面、８ｂ…突部、１２…縦枠、１２ａ…室内側の縦溝、１２ｂ…室外側の縦溝、３０…左右一方の端面、３１…左右一方の内面、３２…突部対向面。
【図１】
0004412555.tif 000002
【図２】
0004412555.tif 000003
【図３】
0004412555.tif 000004
【図４】
0004412555.tif 000005
【図５】
0004412555.tif 000006
【図６】
0004412555.tif 000007
【図７】
0004412555.tif 000008